(57)【要約】【課題】光源の眩しさや多重影を低減でき、且つ安価に製造できる照明装置を提供すること。【解決手段】光源としてのＬＥＤ１６及びこのＬＥＤ１６の上方に設けられた光反射手段２１を有する灯体４を備えた照明装置たる電気スタンド１において、前記ＬＥＤ１６の照射側に透光性を有するＬＥＤカバー２２が設けられ、このＬＥＤカバー２２を透過した光が前記光反射手段２１で反射され、前記ＬＥＤカバー２２が耐熱性に優れた合成樹脂で構成されると共に、前記光反射手段２１が、鏡面反射の割合よりも拡散反射の割合が大きな素材で形成されることで、前記ＬＥＤ１６からの出射光を効率的に拡散光に変化させて、眩しさや多重影を低減することができ、また、使用者が前記ＬＥＤ１６に直接触れないようにでき、更に、前記灯体４の重さを比較的軽量にすることができると共に、前記電気スタンド自体を安価に製造することができる。【選択図】図１
2018018831.tif 000002
【特許請求の範囲】
【請求項１】
光源としてのＬＥＤ及びこのＬＥＤの上方に設けられた光反射手段を有する灯体を備えた照明装置において、
前記ＬＥＤの照射側に透光性を有するＬＥＤカバーが設けられ、このＬＥＤカバーを透過した光が前記光反射手段で反射されると共に、前記光反射手段が、鏡面反射の割合よりも拡散反射の割合が大きな素材で形成されることを特徴とする照明装置。
【請求項２】
前記ＬＥＤカバーのうち、前記ＬＥＤと光反射手段の先端とを結んだ線よりも上が、光を拡散させずに透過させる透過部とされることを特徴とする請求項１記載の照明装置。
【請求項３】
前記ＬＥＤカバーのうち、前記ＬＥＤと光反射手段の先端とを結んだ線よりも下に拡散光生成手段が設けられることを特徴とする請求項１又は２記載の照明装置。
【請求項４】
前記ＬＥＤカバーが耐熱性に優れた合成樹脂で構成されることを特徴とする請求項１記載の照明装置。
【発明の詳細な説明】
【技術分野】
【０００１】
本発明は、電気スタンド等の照明装置に関するものである。
【背景技術】
【０００２】
従来、この種の照明装置として、発光ダイオード（以下、ＬＥＤと略す）を灯体の直下に配置する直下式のものと、ＬＥＤから出射された光を導光体によって所定の方向に導く導光式のもの、この二つの方式が一般的であった。
【０００３】
直下式のものとして、ＬＥＤが設けられた灯具本体（本願発明の灯体に相当する）と、前記ＬＥＤの照射側を覆う透光体とを有する照明装置において、前記ＬＥＤに対応して、透明部と散光部を設けた照明装置がある（例えば特許文献１）。この照明装置では、前記ＬＥＤが照射した光が前記散光部を通過すると、光が散乱して柔らかくなり、目に優しくすることができる。
【０００４】
また、導光式のものとして、ＬＥＤからの光を所定の方向に導く導光体を有し、この導光体が、前記ＬＥＤからの光を所定の方向に反射させる反射面と、この反射面で反射した光を放出する放出面とを有し、前記反射面を、上下に分割された複数の反射小面によって形成し、下方の反射小面ほど前記ＬＥＤから離れるように、光軸方向に互いにずらして段差部を形成し、前記各反射小面同士を断続的とした照明装置がある（例えば特許文献２）。この照明装置は、このように構成することで、光の照度を低下させることなく輝度を低下させ、作業領域の照射対象物を見易くすることができる。
【先行技術文献】
【特許文献】
【０００５】
【特許文献１】特開２０１０−１５３１０６号公報
【特許文献２】特開２０１１−２３３３０８号公報
【発明の概要】
【発明が解決しようとする課題】
【０００６】
前者の直下式の照明装置は、光の取出し効率が良いという利点があるが、導光式のものに比べて、眩しさを感じやすく、多重影が生じやすいという問題があった。また、後者の導光式の照明装置は、直下式のものに比べて、眩しさを感じさせにくく、多重影の発生を低減することができるという利点があるが、反面、導光体を設けることによって、製造コストが高くなってしまうという問題があった。また、導光体を設けることによって、灯体の重量が重くなってしまい、灯体を支持する部材が大きくなってしまう、という問題もあった。
【０００７】
本発明は以上の問題点を解決し、光源の眩しさや多重影を低減でき、且つ安価に製造できる照明装置を提供することを目的とする。
【課題を解決するための手段】
【０００８】
本発明の請求項１に記載の照明装置は、光源としてのＬＥＤ及びこのＬＥＤの上方に設けられた光反射手段を有する灯体を備えた照明装置において、前記ＬＥＤの照射側に透光性を有するＬＥＤカバーが設けられ、このＬＥＤカバーを透過した光が前記光反射手段で反射されると共に、前記光反射手段が、鏡面反射の割合よりも拡散反射の割合が大きな素材で形成されることを特徴とする。
【０００９】
また、本発明の請求項２に記載の照明装置は、請求項１において、前記ＬＥＤカバーのうち、前記ＬＥＤと光反射手段の先端とを結んだ線よりも上が、光を拡散させずに透過させる透過部とされることを特徴とする。
【００１０】
また、本発明の請求項３に記載の照明装置は、請求項１又は２において、前記ＬＥＤカバーのうち、前記ＬＥＤと光反射手段の先端とを結んだ線よりも下に拡散光生成手段が設けられることを特徴とする。
【００１１】
更に、本発明の請求項４に記載の照明装置は、請求項１において、前記ＬＥＤカバーが耐熱性に優れた合成樹脂で構成されることを特徴とする。
【発明の効果】
【００１２】
本発明の請求項１に記載の照明装置は、以上のように構成することにより、ＬＥＤからの出射光を前記光反射手段で反射させて拡散光に変化させることで、ＬＥＤからの出射光を効率的に拡散光に変化させて、光源の眩しさや多重影を低減することができる。また、前記ＬＥＤカバーにより使用者が前記ＬＥＤに直接触れないようにできる。更に、導光体等の部品を用いる必要がないため、灯体の重さを比較的軽量にすることができると共に、照明装置自体を安価に製造することができる。
【００１３】
また、前記ＬＥＤカバーのうち、前記ＬＥＤと光反射手段の先端とを結んだ線よりも上が、光を拡散させずに透過させる透過部とされることにより、前記ＬＥＤカバーを透過した前記ＬＥＤからの出射光を前記光反射手段で拡散光に変化させて、光源の眩しさや多重影を低減させることができる。
【００１４】
更に、前記ＬＥＤカバーのうち、前記ＬＥＤと光反射手段の先端とを結んだ線よりも下に拡散光生成手段が設けられることにより、直接光の眩しさ及び多重影の発生を低減させることができる。
【図面の簡単な説明】
【００１５】
【図１】本発明の実施例１を示す照明装置の要部の断面図である。
【図２】同、照明装置の斜視図である。
【図３】同、照明装置の正面図である。
【図４】同、断面説明図である。
【図５】本発明の実施例２を示す照明装置の要部の断面図である。
【図６】本発明の実施例３を示す照明装置の要部の断面図である。
【図７】本発明の参考例１を示す照明装置の要部の断面図である。
【発明を実施するための最良の形態】
【００１６】
本発明における好適な実施の形態について、添付図面を参照して説明する。なお、以下に説明する実施の形態は、特許請求の範囲に記載された本発明の内容を限定するものではない。また、以下に説明される構成の全てが、本発明の必須要件であるとは限らない。
【実施例１】
【００１７】
図１乃至図４は、実施例１を示している。１は、本発明の照明装置である電気スタンドである。この電気スタンド１は、柱状の基部２と、この基部２に対して可動に設けられた首部３と、この首部３に対して可動に設けられた灯体４とを有して構成される。前記基部２は、前側の幅が広い台形の底面部２Ａを有し、この底面部２Ａが、設置面でもある被照射面Ｆと当接する。また、前記基部２は、上方に向かって細くなる形状をなす。
【００１８】
そして、前記基部２の正面側には、上段操作部５と下段操作部６が設けられる。前記上段操作部５は、調光用のタッチスイッチからなる。また、前記下段操作部６は、調色用のタッチスイッチからなる。そして、前記上段操作部５は、左右方向中央に設けた主スイッチ５Ａと、左右に設けた調光スイッチ５Ｌ，５Ｒとを備える。前記主スイッチ５Ａを操作することにより、電源のオン・オフの切り換えを行うことができる。また、右の調光スイッチ５Ｒを操作することで明るさが増し、左の調光スイッチ５Ｌを操作することで、明るさが減ずるように操作することができる。また、前記下段操作部６は、左右方向中央に設けた中間スイッチ６Ａと、左右に設けた調色スイッチ６Ｌ，６Ｒとを備える。前記中間スイッチ６Ａを操作することにより、後述する電球色ＬＥＤと、白色ＬＥＤの光を混色させて、照明光を中間色に切り換えることができる。また、右の調色スイッチ６Ｒを操作することで、現状の点灯状態に対して、電球色ＬＥＤを相対的に強く発光させて、光を暖色に段階的に調色することができる。また、左の調色スイッチ６Ｌを操作することで、現状の点灯状態に対して、白色ＬＥＤを相対的に強く発光させて、光を寒色に段階的に調色することができる。
【００１９】
また、前記首部３の内部には、それ自体が可撓性を有する図示しないフレキシブルシャフトが設けられている。
【００２０】
図１等に示すように、前記灯体４は、前記首部３の先端に連結したケース本体１１を備える。このケース本体１１は、上ケース部１２と下ケース部１３とからなる。この上ケース部１２の先端側には、フード部１４が先端側に向かって延設されている。前記ケース本体１１は合成樹脂製で、光を通さない不透明な材料からなる。なお、前記灯体４は、前記首部３の軸中心に対して、水平位置より上下それぞれ１５度程度回動可能である。また、前記灯体４は、前記首部３を屈曲することにより、水平位置から略垂直位置まで向きを変更することができる。なお、この例の前記灯体４の水平位置とは、前記下ケース部１３の下面が後述する補助線１０１で示す水平線と略並行となる状態の位置を指す。
【００２１】
また、前記上ケース部１２は先端側が斜め上向きの傾斜部１２Ａを有し、この傾斜部１２Ａの先端から前記フード部１４が斜め下向きに形成される。即ち、前記上ケース部１２は、側面視で山型状に形成される。また、前記上ケース部１２と前記下ケース部１３の先端側の間には、開口部１５が形成されている。なお、前記下ケース部１３には、前記開口部１５の位置に立ち上がり縁部１３Ａが形成されている。
【００２２】
前記灯体４の光学系について詳述する。前記灯体４は、光源としての複数の照明用ＬＥＤ１６を有する。これらのＬＥＤ１６は、金属基板１７上に左右一列に複数並べて設けられ、前記開口部１５から外部に光を照射する。なお、前記ＬＥＤ１６は、電球色ＬＥＤと、白色ＬＥＤが１：２の割合で設けられている。また、前記金属基板１７は、板状の放熱体１８に接続される。この放熱体１８は、熱伝導性の良いアルミ等の金属からなる。
【００２３】
前記ＬＥＤ１６は、前記立ち上がり縁部１３Ａの位置より基端側（後側）に位置し、前記ケース本体１１に内蔵されている。また、前記灯体４の水平位置で、前記ＬＥＤ１６及び金属基板１７は、前記ＬＥＤ１６の光軸１６Ｊが先端側（前側）に向かって斜め上向きをなすように、傾けた状態で設けられている。そして、光軸１６Ｊと、補助線１０１で示す水平線とのなす角度θは、１０度以上４５度未満、好ましく２０〜３０度程度であり、図１及び図４では角度θが２５度のものを図示している。これは、角度θが１０度未満であると、被照射面Ｆ方向に向かう直射光が多くなってしまい、また、角度θが４５度以上であると、光反射手段２１へ照射する照射範囲が狭くなる虞が生じるからである。なお、前記金属基板１７が、補助線１０２で示す垂直線に対してなす角度は、前記角度θと同一である。
【００２４】
また、前記傾斜部１２Ａ及びフード部１４内には、板状の前記光反射手段２１が設けられている。この光反射手段２１の光反射面である内面の少なくとも一部は、前記ＬＥＤ１６の位置より上方に位置する。また、前記光反射手段２１は、前記ＬＥＤ１６の上部から前記フード部１４の先端側に亘って連続して設けられている。
【００２５】
前記光反射手段２１は、光を反射するものであって、鏡面反射の割合より拡散反射の割合が大きな素材で形成されている。前記光反射手段２１の鏡面反射の割合は、１０％以下が眩しさを低減する面から好ましく、かつ、拡散反射の割合は、８０％を超えるものが照明効果の点から好ましい。なお、前記光反射手段２１は、反射面が白色のものを用いている。前記光反射手段２１の一例としては、超微細発泡反射板ＭＣＰＥＴ（登録商標：古河電気工業株式会社製）などを用いることができる。超微細発泡反射板ＭＣＰＥＴは、厚さ０．９４ｍｍ、全反射率９９％、拡散反射率９６％である。補足すると、上述した反射率は、波長５５０ｎｍの光における硫酸バリウムとの相対値であり、全反射率９９％に対して３％が鏡面反射分であり、残りの１％が吸収された分である。
【００２６】
前記光反射手段２１は、基端に斜め上向きの基端側傾斜部２１Ａを設け、この基端側傾斜部２１Ａの先端に略水平な中間部２１Ｂを設け、この中間部２１Ｂの先端に斜め下向きの先端側傾斜部２１Ｃを設け、この先端側傾斜部２１Ｃの先端に略水平な先端部２１Ｄを設けている。なお、前記基端側傾斜部２１Ａと中間部２１Ｂの間、前記中間部２１Ｂと先端側傾斜部２１Ｃとの間、前記先端側傾斜部２１Ｃと先端部２１Ｄの間には、それぞれ屈曲部２１Ｋが設けられている。また、いずれも水平に対して、前記基端側傾斜部２１Ａの傾斜角度は前記角度θ以上で４５度以下、前記先端側傾斜部２１Ｃの角度は、前記角度θと略同一又は同一であり、かつ、前記フード部１４の角度より大きい。なお、前記基端側傾斜部２１Ａ、中間部２１Ｂ、先端部２１Ｄの長さはさほど変わらないが、前記先端側傾斜部２１Ｃは最も長く、前記中間部２１Ｂのおよそ５倍程度の長さを有する。
【００２７】
前記基端側傾斜部２１Ａは、その基端が前記金属基板１７の前面に当接又は近接し、その先端が略開口部１５に位置する。また、先端側傾斜部２１Ｃは、前記フード部１４の先端側まで延設されており、その先端は前記ＬＥＤ１６よりも下方に位置する。従って、前記フード部１４及び前記先端側傾斜部２１Ｃは、前記ＬＥＤ１６の位置から引き出された補助線１０１で示す水平線と交差するように、それぞれの傾斜角度と長さが規定されている。
【００２８】
前記放熱体１８は、前記金属基板１７の後面と、前記光反射手段２１の上面を覆うように設けられる。具体的には、前記放熱体１８は、前記金属基板１７の後面に接すると共に、前記光反射手段２１の上面に貼り付けられる。即ち、金属製放熱体１８の下面に、前記光反射手段２１が貼り付けられている。なお、図４等に示すように、前記放熱体１８は、前記光反射手段２１に倣った形状となるように成形される。従って、前記放熱体１８は、前記光反射手段２１に対応して、基端側傾斜部と、中間部と、先端側傾斜部と、先端部とを有し、更に金属基板１７の後面に沿う部分とを一体に有する。
【００２９】
前記ＬＥＤ１６の照射側には、合成樹脂製で、透光性を有するＬＥＤカバー２２が設けられている。このＬＥＤカバー２２は、前記光軸１６Ｊと直交する前面部２３と、該光軸１６Ｊと略平行な下面部２４とを一体に有して断面略Ｌ字型に形成される。前記前面部２３の上縁は、基端側傾斜部２１Ａの先端側に近接又は当接し、前記下面部２４の後縁は金属基板１７の前面に当接している。なお、前記ＬＥＤカバー２２は、透明又は半透明のものを用いることができ、前記ＬＥＤ１６に近接するため、耐熱性に優れた合成樹脂、例えばポリカーボネート等を用いることが好ましい。
【００３０】
前記ＬＥＤカバー２２には、前記ＬＥＤ１６から放射される光のうち、前記光反射手段２１に照射されない直射光が通過する範囲に、拡散光生成手段２５を設けている。本実施例において、前記拡散光生成手段２５は、前記ＬＥＤカバー２２の外面に施したシボ加工部からなる。この拡散光生成手段２５は、前記下面部２４の底面と、前記前面部２３の下部側とに設けられている。そして、図１に示すように、前記ＬＥＤ１６と先端側傾斜部２１Ｃの先端とを結ぶ仮想線１０３の位置より多少上方に、前記拡散光生成手段２５の上端が位置している。なお、前記拡散光生成手段２５の上端と、仮想線１０３が前記前面部２３に交差する位置との高さの差を０〜５ｍｍ程度とすることが好ましい。そして、前記ＬＥＤカバー２２の前面部２３のうち、前記拡散光生成手段２５以外の部分は、前記ＬＥＤ１６が放射した光を拡散させずに透過させる透過部２６である。なお、本実施例においては、前記仮想線１０３が前記前面部２３に交差する位置よりも上方の前記ＬＥＤカバー２２の部分については、その殆どの部分が透過部２６である。
【００３１】
従って、前記ＬＥＤ１６から放射される光のうち、前記光反射手段２１に照射されない直射光が前記拡散光生成手段２５を透過することにより、拡散光となって前記被照射面Ｆに照射される。
【００３２】
次に、本実施例の作用について説明する。なお、前記電気スタンド１は、予め図示しない交流電源に接続されているものとする。そして、使用者が前記主スイッチ５Ａを操作することで、前記灯体４に設けられた前記ＬＥＤ１６に電力が供給され、このＬＥＤ１６が発光する。そして、上述したように、使用者が前記調光スイッチ５Ｌ，５Ｒを操作することで、前記ＬＥＤ１６に供給される電力が段階的に調節され、このＬＥＤ１６の明るさが変化する。また、上述したように、使用者が前記調色スイッチ６Ｌ，６Ｒを操作することで、前記ＬＥＤ１６の発光色を段階的に調節することができる。
【００３３】
なお、前記ＬＥＤ１６に通電することで発生する熱は、前記金属基板１７を介して前記放熱体１８に移動し、この放熱体１８から放出される。
【００３４】
図４に示したように、前記ＬＥＤ１６から放射された光の一部は、前記ＬＥＤカバー２２の透過部２６を透過して、前記光反射手段２１に照射される。前記光反射手段２１に照射された光は、この光反射手段２１において反射することにより、所定の割合の拡散光が生成されて下方に照射され、被照射面Ｆを照明することができる。この場合、水平に対して上向きの角度が大きな光は、前記中間部２１Ｂで反射し、水平に対して上向きの角度が小さな光は、前記先端側傾斜部２１Ｃで反射し、所定割合が拡散光となって下側に照射される。このように、前記光反射手段２１に照射された光は、この光反射手段２１で反射されることにより、所定の割合の拡散光が生成されるので、本来点光源である前記ＬＥＤ１６の眩しさや多重影を低減させ、目に優しい柔らかい光で被照射面Ｆを照明することができる。また、前記光反射手段２１に、略水平な前記中間部２１Ｂを設けることにより、前記先端側傾斜部２１Ｃの水平に対する角度を大きく設定することができ、前記ＬＥＤ１６の光を良好に下方に導くことができる。また、前記基端側傾斜部２１Ａにおいても反射により光は拡散するが、基端側傾斜部２１Ａの水平に対する角度が光軸１６Ｊの角度θより大きいから、前記基端側傾斜部２１Ａで反射した後で前記拡散光生成手段２５に向かう光量を抑えることができる。
【００３５】
一方、前記ＬＥＤ１６から放射された光のうち、前記光反射手段２１に照射されない直射光、即ち前記拡散光生成手段２５を透過する光は、該拡散光生成手段２５を透過することにより、拡散光となって下方に照射される。
【００３６】
以上のように、本実施例では、光源としてのＬＥＤ１６及びこのＬＥＤ１６の上方に設けられた光反射手段２１を有する灯体４を備えた照明装置たる電気スタンド１において、前記ＬＥＤ１６の照射側に透光性を有するＬＥＤカバー２２が設けられ、このＬＥＤカバー２２を透過した光が前記光反射手段２１で反射されると共に、前記光反射手段２１が、鏡面反射の割合よりも拡散反射の割合が大きな素材で形成されることによって、前記ＬＥＤ１６からの出射光を効率的に拡散光に変化させて、光源の眩しさや多重影を低減することができる。また、前記ＬＥＤカバー２２により、使用者が前記ＬＥＤ１６に直接触れないようにできる。更に、導光体等の部品を用いる必要がないため、前記灯体４の重さを比較的軽量にすることができると共に、前記電気スタンド１自体を安価に製造することができる。
【００３７】
また、本実施例では、前記ＬＥＤカバー２２のうち、前記ＬＥＤ１６と光反射手段２１の先端とを結んだ線よりも上が、光を拡散させずに透過させる透過部２６とされることにより、前記ＬＥＤカバー２２を透過した前記ＬＥＤ１６からの出射光を前記光反射手段２１で拡散光に変化させて、光源の眩しさや多重影を低減させることができる。
【００３８】
更に、本実施例では、前記ＬＥＤカバー２２のうち、前記ＬＥＤ１６と光反射手段２１の先端とを結んだ線よりも下に拡散光生成手段２５が設けられることにより、直接光の眩しさ及び多重影の発生を低減させることができる。
【００３９】
また、実施例上の効果として、前記光軸１６Ｊと、前記補助線１０１で示す水平線とのなす角度θは、１０度以上４５度未満、好ましく２０度以上３０度以下であるから、被照射面Ｆの比較的広い範囲を効果的に照明することができる。即ち、角度θが４５度を越えると、前記光反射手段２１へ照射する照射範囲が狭くなる虞があり、また、角度θが１０度未満では、被照射面Ｆ方向に直接向かう直射光が多くなってしまうため、上記の範囲が好ましい。また、水平位置で、先端側傾斜部２１Ｃの先端が、前記ＬＥＤ１６よりも下方に位置するから、前側に直接光が漏れ難くなる。更に、金属製の前記放熱体１８の内面に板状の前記光反射手段２１を重ねて貼り付けて固定したから、シート状で可撓性を有する前記光反射手段２１の取り付けを容易に行うことができる。また、前記光反射手段２１の鏡面反射の割合が１０％以下であるから、眩しさの低減効果に優れる。しかも、前記ＬＥＤカバー２２には、前記ＬＥＤ１６が放射した光が拡散せずに透過する透過部２６を設けたから、照明効率の低下を防止することができる。
【実施例２】
【００４０】
図５は本発明の実施例２を示し、上記実施例１と同一部分に同一符号を付し、その説明を省略して詳述する。同図はＬＥＤカバーの変形例を示す。実施例２のＬＥＤカバー３１は、ＬＥＤ１６の正面側に設けられた透過部３２と、前記ＬＥＤ１６の下方に設けられた反射部３３とを一体的に有する。なお、この反射部３３は、白色等のものが用いられ、光を反射する。この場合、前記透過部３２と反射部３３とを二色成型により一体成型することができる。また、前記透過部３２と反射部３３を透明又は半透明な同一材質とし、この反射部３３の内面又は外面に、塗装や反射部材を設けて反射面を設けてもよい。
【００４１】
また、前記反射部３３は、前記ＬＥＤ１６に近接した位置にあり、先端側に向かって高くなるように傾斜している。なお、前記反射部３３の水平に対する角度は、前記角度θよりも小さい。また、前記反射部３３と前記基端側傾斜部２１Ａとの間隔は、先端側に向かって拡大する。
【００４２】
次に、本実施例の作用について説明する。前記ＬＥＤ１６から反射部３３に向かう光は、この反射部３３で反射した後、前記光反射手段２１で反射して、所定の拡散光が生成される。このように、前記反射部３３が光を透過せず、光を反射するため、外部に前記ＬＥＤ１６の直射光が漏れることがなく、全て前記光反射手段２１で反射してから被照射面Ｆを照射するので、良好に照明することができる。
【００４３】
また、本実施例では、光源がＬＥＤ１６からなり、このＬＥＤ１６の照射側にＬＥＤカバー３１が設けられ、このＬＥＤカバー３１の透過部３２が透光性を有し、前記ＬＥＤカバー３１の反射部３３が前記ＬＥＤ１６の光を反射するから、このＬＥＤ１６の光が全て光反射手段２１で反射してから外部に照射されるため、被照射面Ｆを良好に照明することができる。
【実施例３】
【００４４】
図６は本発明の実施例３を示し、上記実施例１と同一部分に同一符号を付し、その説明を省略して詳述する。同図はＬＥＤカバーの変形例を示す。実施例３のＬＥＤカバー４１は、ＬＥＤ１６の光軸１６Ｊと直交し、前記ＬＥＤ１６から放射された光を集光するレンズ部４２と、前記光軸１６Ｊと略平行な下面部４３とを一体に有して断面略逆Ｌ字型に形成される。前記レンズ部４２は、前記ＬＥＤ１６から放射された光を集光し、光反射手段２１の先端側傾斜部２１Ｃに光を導くように形成される。なお、前記ＬＥＤカバー４１は、実施例１と同様に、透明又は半透明のもので、耐熱性に優れた合成樹脂、例えばポリカーボネート等を用いることが好ましい。また、前記ＬＥＤカバー４１の下面部４３には、前記ＬＥＤ１６から放射された光を拡散させる拡散光生成手段４４が設けられている。本実施例において、前記拡散光生成手段４４は、前記ＬＥＤカバー４１の下面部４３に施したシボ加工部からなる。この拡散光生成手段４４は、前記下面部４３の底面と、前記下面部４３の先端側（前側）とに設けられている。
【００４５】
次に、本実施例の作用について説明する。実施例１で示したように、前記ＬＥＤ１６から放射され、前記基端側傾斜部２１Ａや前記中間部２１Ｂで反射された光は、その多くが被照射面Ｆを照射する。しかしながら、前記基端側傾斜部２１Ａや前記中間部２１Ｂで反射した一部の光は、前記ＬＥＤ１６の方向に戻ってしまい、被照射面Ｆを効率よく照明できない可能性が生じる。従って、本実施例では、前記レンズ部４２を設け、前記ＬＥＤ１６から放射された光を特に前記光反射手段２１の先端側傾斜部２１Ｃに導くように集光している。これにより、前記レンズ部４２が、前記ＬＥＤ１６から前記基端側傾斜部２１Ａや前記中間部２１Ｂに向かう光の割合を低減させることで、前記ＬＥＤ１６の方向に反射する成分を低減して、より効率的に反射光によって被照射面Ｆを照明することができる。
【００４６】
また、前記レンズ部４２を設けても、前記ＬＥＤ１６から放射された光の一部が、前記先端側傾斜部２１Ｃの方向に集光されず、被照射面Ｆ方向に直接向かう直射光となってしまう。従って、前記ＬＥＤカバー４１には、前記ＬＥＤ１６から放射された光のうち、被照射面Ｆに直射向かう光が透過する範囲に、前記拡散光生成手段４４を設けている。これにより、直射光がシボ加工等の拡散光生成手段４４を透過することで、直射光の眩しさ及び多重影の発生を低減することができる。
［参考例１］
【００４７】
図７は本発明の参考例１を示し、上記実施例１と同一部分に同一符号を付し、その説明を省略して詳述する。同図はＬＥＤカバーの変形例を示す。参考例１のＬＥＤカバー５１は、ＬＥＤ１６の上方に設けられた上側反射板５２と、前記ＬＥＤ１６の下方に設けられた下側反射板５３からなる。即ち、前記ＬＥＤカバー５１は、金属基板１７上に左右一列に多数並べて設けられた前記ＬＥＤ１６を上下間で挟むように、一対に設けられている。また、前記ＬＥＤカバー５１は、塗装や反射部材を設けて反射面になっている。また、前記ＬＥＤカバー５１は、金属等の鏡面反射率の高い素材を用いて一体成型し、その内面を反射面としても構わない。また、前記上側反射板５２と下側反射板５３の間隔は、基端側から先端側に向かって拡大する。なお、前記上側反射板５２と下側反射板５３の先端側は開放しており、厳密な意味ではカバーではないが、前記上側反射板５２と下側反射板５３の先端側の間隔を狭くして前記ＬＥＤ１６に触れられないようにすることで、実質的にカバーと同様の作用を持たせることができる。
【００４８】
次に、本参考例の作用について説明する。前述したように、実施例１のような構造では、前記基端側傾斜部２１Ａや前記中間部２１Ｂで反射した一部の光は、前記ＬＥＤ１６の方向に戻ってしまい、被照射面Ｆを効率よく照明できない可能性が生じる。従って、本参考例では、前記上側反射板５２と下側反射板５３を設け、前記ＬＥＤ１６から放射された光を特に前記光反射手段２１の先端側傾斜部２１Ｃに導くように反射する。そして、前記ＬＥＤ１６から放射された光が、前記上側反射板５２と下側反射板５３で反射されると、これら上側反射板５２と下側反射板５３によって、殆どが前記光反射手段２１の先端側傾斜部２１Ｃの方向に向かい、この先端側傾斜部２１Ｃで拡散光へと変化して、被照射面Ｆが照射される。このように、本参考例では、前記ＬＥＤ１６の上下を覆うように、前記上側反射板５２と下側反射板５３を設けたことで、前記ＬＥＤ１６から前記基端側傾斜部２１Ａや前記中間部２１Ｂに向かう光の割合を低減させることで、前記ＬＥＤ１６の方向に反射する成分を低減して、より効率的に反射光によって被照射面Ｆを照明することができる。
【００４９】
なお、本発明は以上の実施例に限定されるものではなく、発明の要旨の範囲内で種々の変形実施が可能である。例えば、光反射手段は、上述した実施例に記載されたものに限定されず、反射板に白塗りで凹凸を設けたものや、アルミ製の板材の上面を粗したものや、表面に微細な気孔を複数有する発泡体等でもよい。また、光軸とは光源からの直接光の光軸（狭義の光軸）を指すが、反射又は屈折によって屈曲させた光軸（広義の光軸）であっても良い。また、拡散光生成手段は、上述した実施例に記載されたものに限定されず、乳白で塗装したもの等、様々なもので応用可能であり、且つ、拡散光生成手段はＬＥＤカバーの内面側に設けてもよい。更に、実施例１のＬＥＤカバーの下部側内面を反射面に形成してもよい。また、上記実施例及び参考例を組み合わせても良い。例えば、参考例１に記載したような上側反射板と下側反射板の間に、実施例３に記載したような光を集光するレンズ部を設けても構わない。このようにすれば、前記上側反射板と下側反射板によって、基端側傾斜部や中間部に向かう光の割合を低減させると共に、前記レンズ部によってＬＥＤから放射された光を先端側傾斜部に集光させることができる。従って、より効率的に反射光によって被照射面Ｆを照明することができる。
【符号の説明】
【００５０】
１  電気スタンド（照明装置）
４  灯体
１６  ＬＥＤ（光源）
１６Ｊ  光軸
２１  光反射手段
２２，３１，４１，５１  ＬＥＤカバー
２５，４４  拡散光生成手段
【図１】
2018018831.tif 000003
【図２】
2018018831.tif 000004
【図３】
2018018831.tif 000005
【図４】
2018018831.tif 000006
【図５】
2018018831.tif 000007
【図６】
2018018831.tif 000008
【図７】
2018018831.tif 000009